(57)【要約】【課題】  低コスト、耐久性、高速施工性、緊急的対応性、及び高排水性を兼ね備えた吸水渠施工装置及び施工方法を提供する。【解決手段】  支持フレームの装着ロッドに着脱可能に装着され牽引車による牽引に伴って対象土壌中を進行する吸水渠形成アタッチメントが、両側壁面位置の対象土壌を切断する一対の前方カッターと、土塊を押し上げるべく前方カッターの下端から斜め上後方へ延在して吸水渠天井面位置又は地表まで到達する排土部材と、周囲土壌を切断、移動又は圧縮させることにより天井面となる土蓋ブロックを成型する土蓋成型具とを有する吸水渠施工装置及びこれを用いた施工方法である。【選択図】  図３
2006022586.tif 000002
【特許請求の範囲】
【請求項１】
牽引車に牽引され対象土壌中を進行することにより、天井面と両側壁面と底面とにより囲まれた吸水渠を対象土壌中に形成する吸水渠施工装置において、
(a)前記牽引車の後方に連結されかつ進行方向に沿って延在する装着ロッドを具備する支持フレームと、
(b)前記支持フレームの前記装着ロッドに着脱可能に装着されかつ前記牽引車による牽引に伴って対象土壌中を進行する吸水渠形成アタッチメントとを有し、該吸水渠形成アタッチメントが、
(b1)対象土壌中を進行しつつ前記両側壁面の位置に該当する対象土壌を切断すべく、互いに離間して配置された一対の前方カッターであって、各前方カッターの上端が前記装着ロッドに装着され、下端が前記底面の位置まで到達し、かつ前方側に切断刃を具備する、一対の前方カッターと、
(b2)対象土壌中を進行しつつ前記両側壁面及び前記底面を形成すべく、板状であって前記両側壁面間に亘る幅を具備し、前端が前記一対の前方カッターの下端に取り付けられ、該前端から斜め上後方へ延在し、かつ後端が前記天井面の位置又は地表まで到達する排土部材と、
(b4)対象土壌中を進行しつつ前記天井面を形成すべく、前記排土部材の後端近傍又は後面側に設けられ、かつ周囲土壌を切断、移動又は圧縮させることにより該天井面となる土蓋ブロックを成型する土蓋成型具とを有することを特徴とする
吸水渠施工装置。
【請求項２】
前記一対の前方カッターの各々の前記切断刃が垂直方向に対して斜め下後方へ４５°以下の角度で傾斜していることを特徴とする請求項１に記載の吸水渠施工装置。
【請求項３】
前記一対の前方カッターの前記切断刃が、該カッターの長さ方向に沿って直線状又は波形状を具備することを特徴とする請求項１に記載の吸水渠施工装置。
【請求項４】
前記一対の前方カッターの互いの間隔が上方から下方に向かって次第に狭くなることを特徴とする請求項１に記載の吸水渠施工装置。
【請求項５】
前記排土部材の前記後端が前記天井面の位置まで到達することにより、該排土部材の進行に伴って前記底面の位置より上方に存在する土塊を、前記天井面の位置まで押し上げ可能であると共に、
前記一対の前方カッターの後方にて前記両側壁面間の中央に位置する後方カッターをさらに有し、
前記後方カッターは、その上端が前記装着ロッドに装着され、その下端が前記排土部材の前記後端へ取り付けられ、かつ前記排土部材により押し上げられた土塊を２分割すべく前方側に切断刃を具備することを特徴とする
請求項１に記載の吸水渠施工装置。
【請求項６】
前記排土部材において、その前半部が前方から後方へ向かって斜め上後方へ延び、かつその後半部が地表面とほぼ平行に延びることを特徴とする請求項５に記載の吸水渠施工装置。
【請求項７】
進行方向に対する前記前半部の角度が４５〜６０度であることを特徴とする請求項６に記載の吸水渠施工装置。
【請求項８】
前記土蓋成型具が、前記天井面の位置の周囲土壌を圧縮する凸部を具備することを特徴とする
請求項５に記載の吸水渠成功装置。
【請求項９】
前記排土部材の前記後端が、地表まで到達して前記装着ロッドへ装着されることにより、該排土部材の進行に伴って前記底面の位置より上方に存在する土塊を地表まで押し上げ可能であることを特徴とする
請求項１に記載の吸水渠施工装置。
【請求項１０】
進行方向に対する前記排土部材の角度が４５〜６０度であることを特徴とする請求項９に記載の吸水渠施工装置。
【請求項１１】
前記排土部材の後半部において、前方から後方へ向かうにつれて一方の側縁が他方の側縁より次第に高くなる捻り部を形成されていることを特徴とする
請求項９に記載の吸水渠施工装置。
【請求項１２】
前記捻り部の捻り角として、地表位置における前記一方の側縁から前記他方の側縁への傾斜が水平に対して４５度であることを特徴とする
請求項１１に記載の吸水渠施工装置。
【請求項１３】
前記土蓋成型具が、
前記天井面の位置の周囲土壌を切断する前方刃と、
切断した前記周囲土壌を通過させつつ移動又は圧縮することにより前記土蓋ブロックを成型する押圧板とを少なくとも有することを特徴とする
請求項９に記載の吸水渠施工装置。
【請求項１４】
前記土蓋成型具が、
前記土蓋ブロックの最終形状を規定する後方成型端部を有することを特徴とする請求項１３に記載の吸水渠施工装置。
【請求項１５】
前記土蓋成型具が、
前記押圧板により圧縮される前記周囲土壌を下方から支持する下方支持板を有することを特徴とする請求項１３に記載の吸水渠施工装置。
【請求項１６】
前記排土部材の前記装着ロッドへの取付位置より後方にて該装着ロッドに装着され、地表に押し上げられた土塊を移動させ前記土蓋ブロック上に落とし込むことにより埋め戻す埋戻し板を有することを特徴とする
請求項９に記載の吸水渠施工装置。
【請求項１７】
互いに離間して配置されかつ前方側に切断刃を具備する一対の前方カッターと、前記一対の前方カッターの下端から斜め上後方に延在する板状の排土部材と、前記排土部材の後端近傍又は後面側に設けられ土蓋ブロックを成型する土蓋成型具とを有する吸水渠施工装置を、対象土壌中において進行させることにより、天井面と両側壁面と底面とにより囲まれた吸水渠を対象土壌中に形成する吸水渠施工方法において、
(a)対象土壌中を進行しつつ、前記一対の前方カッターにより前記両側壁面の位置に該当する前記対象土壌を切断する第一工程と、
(b)対象土壌中を進行しつつ、前記切断された対象土壌の下端より上方に存在する土塊を、前記排土部材により前記天井面の位置又は地表まで押し上げることにより前記両側壁面及び前記底面を形成する第二工程と、
(c)対象土壌中を進行しつつ、前記押し上げられた土塊の後方に位置する周囲土壌を、前記土蓋成型具により切断、移動又は圧縮させて土蓋ブロックを成型することにより前記天井面を形成する第三工程とを有することを特徴とする
吸水渠施工方法。
【請求項１８】
前記吸水渠施工装置が、前記一対の前方カッターの後方にて前記両側壁面間の中央に位置しかつ前方側に切断刃を具備する後方カッターをさらに有し、かつ前記排土部材の前記後端が前記天井面の位置まで延在する場合、
前記第二工程において、前記土塊を前記天井面の位置まで押し上げると共に、該押し上げた土塊を前記後方カッターにより２分割することを特徴とする
請求項１７に記載の吸水渠施工方法。
【請求項１９】
前記吸水渠施工装置の前記排土部材の前記後端が地表まで延在し、該排土部材の後半部が前方から後方へ向かうにつれて一方の側縁が他方の側縁より次第に高くなるべく捻りを形成され、かつ該吸水渠施工装置が該排土部材より後方に埋戻し板をさらに有する場合、
前記第二工程において、前記土塊を地表まで押し上げると共に、該押し上げた土塊を前記排土部材の前記捻りに従った方向に地表で倒伏させ、かつ
前記第三工程において、前記天井面を形成した後に前記埋戻し板の進行に伴って前記地表に押し上げた土塊を移動させ前記土蓋ブロック上に落とし込むことにより埋め戻すことを特徴とする
請求項１７に記載の吸水渠施工方法。
【請求項２０】
両側壁面と底面とにより囲まれた空間に疎水材を充填した吸水渠を対象土壌中に形成すべく、牽引車に牽引され対象土壌中を進行することにより該空間を掘削する吸水渠施工装置において、
(a)前記牽引車の後方に連結されかつ進行方向に沿って延在する装着ロッドを具備する支持フレームと、
(b)前記支持フレームの前記装着ロッドに着脱可能に装着されかつ前記牽引車による牽引に伴って対象土壌中を進行する吸水渠形成アタッチメントとを有し、該吸水渠形成アタッチメントが、
(b1)対象土壌中を進行しつつ前記両側壁面の位置に該当する対象土壌を切断すべく、互いに離間して配置された一対の前方カッターであって、各前方カッターの上端が前記装着ロッドに装着され、下端が前記底面の位置まで到達し、かつ前方側に切断刃を具備する一対の前方カッターと、
(b2)対象土壌中を進行しつつ前記両側壁面及び前記底面を形成すべく、板状であって前記両側壁面間に亘る幅を具備し、前端が前記一対の前方カッターの下端に取り付けられ、該前端から斜め上後方へ地表まで延在して後端が前記装着ロッドに装着される排土部材とを有し、
前記排土部材の後半部が前方から後方へ向かうにつれて一方の側縁が他方の側縁より次第に高くなる捻りを形成されていることを特徴とする
吸水渠施工装置。
【請求項２１】
両側壁面と底面とにより囲まれかつ地表に開口した開放溝に疎水材を充填した吸水渠を対象土壌中に形成すべく、互いに離間して配置された一対の前方カッターと、前記一対の前方カッターの下端から斜め上後方へ地表まで延在する板状の排土部材とを有し、該排土部材の後半部が前方から後方へ向かうにつれて一方の側縁が他方の側縁より次第に高くなる捻りを形成されている吸水渠施工装置を対象土壌中において進行させることにより前記開放溝を形成し、該開放溝に該疎水材を充填する吸水渠施工方法において、
(a)対象土壌中を進行しつつ、前記一対の前方カッターにより前記両側壁面の位置に該当する前記対象土壌を切断する第一工程と、
(b)対象土壌中を進行しつつ、前記切断された対象土壌の下端より上方に存在する土塊を、前記排土部材により地表まで押し上げると共に、該押し上げた土塊を前記排土部材の前記捻りに従った方向に地表にて倒伏させることにより、前記両側壁面と前記底面とにより囲まれた前記開放溝を形成する第二工程と、
(c)前記開放溝に疎水材を充填する第三工程とを有することを特徴とする
吸水渠施工方法。
【発明の詳細な説明】
【技術分野】
【０００１】
本発明は、吸水渠施工装置及びその施工方法に関する。さらに詳しくは、農業生産活動や各種土地利用において、粘質土や泥炭土や高地下水地帯などに対する土壌改良として、土壌中の余剰水を吸水及び集水し、通水させて排除する吸水渠を構築する装置及びその方法に関する。
【背景技術】
【０００２】
食糧自給率の向上と多様な農作物供給力の安定化、食の安全性確保には、優良な農地の確保と、その農地のより高い生産性を維持することが重要である。しかしながら、農業面積が限られる場合や農業面積の大部分が寒冷湿潤気候地帯である場合などは、より多くの優良な農地を確保するために、高地下水地帯などの排水条件不利な土地に改良を施し優良な農地として利用可能とする土層改良技術の確立が不可欠である。
【０００３】
斯かる土層改良技術、特に粘質土や泥炭土、排水不良農地の土層改良技術については、従来、次のようなものがある。
(１)無材改良技術
泥炭土や高地下水地帯に対する改良技術としては、心土破砕法や弾丸暗渠法がよく用いられる（特許文献１等）。このような疎水材等の資材を使用しない土層改良技術を「無材改良技術」と称することとする。心土破砕法や弾丸暗渠法は、牽引車の後方に破砕装置や弾丸状装置を連結して牽引することにより、心土中にて破砕装置や弾丸状装置を進行させ、それにより心土を破砕したり、心土中に通水孔すなわち吸水渠を穿設したりする施工方法である。心土破砕や弾丸暗渠等の無材改良技術は、牽引車の牽引動力のみで施工できるため、低コストでかつ緊急的な対応が可能な改良である。
【０００４】
（２）有材改良技術
粘質土に対する改良技術としては、心土中に縦溝状に疎水材などの高透水性通水資材を投入する有材心土改良耕法や有材心土破砕法が用いられる。このような疎水材等の資材を用いる土層改良技術を「有材改良技術」と称することとする。施工においては、例えば、適宜の掘削機械を用いて縦溝を掘削した後、当該縦溝に疎水材等の資材を充填する。近年では、平板状発砲系樹脂体を埋設した有材吸水渠や、シート等の引き込みパイプを浅層に埋設したシートパイプドレーン吸水渠が提案されてきた（特許文献２等）。吸水渠は、土壌中の余剰水を吸水及び集水し、通水させて排除するものである。その構築方法として、高透水性通水資材である疎水材や吸水管などの新資材を使用する方法の開発、これらを一貫施工又は自動埋設施工できる施工機械の開発に力がいれられている。これら資材を使用する有材改良技術は、通水空間を長期間確保できるため、改良効果が長期間持続できる
【特許文献１】特開平５−２０２５１２号公報
【特許文献２】特開平１１−１６９８３６号公報
【発明の開示】
【発明が解決しようとする課題】
【０００５】
しかしながら、心土破砕や弾丸暗渠等による無材改良技術は、土層を破砕して通水空間を確保することで透水性を高め、これにより余剰水を排除させることから、土層の破砕程度が不十分であると効果が得られないことがある。加えて、土層の破砕部に余剰水が通水することにより土壌分散が生じるため、次第に目詰まりしていき効果が低減していく。ほとんどのものは、改良後数年で機能が消失する。特に、弾丸暗渠では、土を押し広げて土中に空洞を作るため、周辺土壌の押し戻しによる土壌崩落で吸水渠の閉塞が短期間で発生する。また、弾丸暗渠は、円錐状の弾丸を貫入させ、土壌を押し広げて円形断面の孔を成型する工法であるため、広げられた孔が土圧や押戻しにより小さくなり、施工時にできた亀裂により崩落する問題点があった。このように、心土破砕や弾丸暗渠は、低コストではあるが耐久性に劣る欠点がある。
【０００６】
それにも拘わらず、これら心土破砕や弾丸暗渠に代表されるような通水孔を構築する無材改良技術にはこれまで画期的な進展がなかった。土壌中の余剰水を排除する吸水渠としての通水孔を、作業機の牽引動力だけで構築する技術で実用されているものは、弾丸暗渠以外にないのが現状である。
【０００７】
一方、有材心土破砕や有材吸水渠では、充分な効果と耐久性が得られるが、大規模な工事となることが欠点である。すなわち、施工に先立って施工設計や計画が必要であり、緊急的な対応が困難である。加えて、施工効率も低く、高コストであり、資材の種類によっては適用できる地域が限定されるという欠点もある。  
【０００８】
以上の現状に鑑み、本発明の目的は、排水不良による不利な条件の土地に適用して優良な農地として利用可能とするために、低コスト、耐久性、高速施工性、緊急的対応性、及び高排水性を兼ね備えた土層改良技術を提供することである。
【０００９】
具体的には、本発明は、牽引車による牽引動力のみで実施できる土層改良技術を提供することを目的とする。従って、牽引車の後方に連結され、牽引されることにより、心土中を進行しつつ耐久性のある無材吸水渠を構築可能な吸水渠施工装置及びこれを用いた施工方法を提供することを目的とする。
【００１０】
さらに具体的には、心土中に形成される密閉された溝状の空洞であって、従来の有材吸水渠と同等の高い形状維持性能を有する無材吸水渠を提供することを目的とする。同時に、その溝状の空洞が十分な容積を有することにより、土壌中の余剰水を吸水及び集水並びに通水させ、排除する機能にも優れた無材吸水渠を提供することを目的とする。
本発明はまた、上記の無材吸水渠用の吸水渠施工装置が、有材吸水渠を構築するためにも転用可能であることを目的とする。
【課題を解決するための手段】
【００１１】
上記の目的を達成すべく、本発明は、以下の構成を提供する。
（１）請求項１に係る吸水渠施工装置は、実施形態に示す第１吸水渠施工装置又は第２吸水渠施工装置に対応する。
当該吸水渠施工装置は、牽引車に牽引され対象土壌中を進行することにより、天井面と両側壁面と底面とにより囲まれた吸水渠を対象土壌中に形成する吸水渠施工装置において、
(a)前記牽引車の後方に連結されかつ進行方向に沿って延在する装着ロッドを具備する支持フレームと、
(b)前記支持フレームの前記装着ロッドに着脱可能に装着されかつ前記牽引車による牽引に伴って対象土壌中を進行する吸水渠形成アタッチメントとを有し、該吸水渠形成アタッチメントが、
(b1)対象土壌中を進行しつつ前記両側壁面の位置に該当する対象土壌を切断すべく、互いに離間して配置された一対の前方カッターであって、各前方カッターの上端が前記装着ロッドに装着され、下端が前記底面の位置まで到達し、かつ前方側に切断刃を具備する、一対の前方カッターと、
(b2)対象土壌中を進行しつつ前記両側壁面及び前記底面を形成すべく、板状であって前記両側壁面間に亘る幅を具備し、前端が前記一対の前方カッターの下端に取り付けられ、該前端から斜め上後方へ延在し、かつ後端が前記天井面の位置又は地表まで到達する排土部材と、
(b4)対象土壌中を進行しつつ前記天井面を形成すべく、前記排土部材の後端近傍又は後面側に設けられ、かつ周囲土壌を切断、移動又は圧縮させることにより該天井面となる土蓋ブロックを成型する土蓋成型具とを有する。
【００１２】
（２）請求項２に係る吸水渠施工装置は、請求項１において、前記一対の前方カッターの各々の前記切断刃が垂直方向に対して斜め下後方へ４５°以下の角度で傾斜していることを特徴とする。
【００１３】
（３）請求項３に係る吸水渠施工装置は、請求項１において、前記一対の前方カッターの前記切断刃が、該カッターの長さ方向に沿って直線状又は波形状を具備することを特徴とする。
【００１４】
（４）請求項４に係る吸水渠施工装置は、請求項１において、前記一対の前方カッターの互いの間隔が上方から下方に向かって次第に狭くなることを特徴とする。
【００１５】
（５）請求項５に係る吸水渠施工装置は、実施形態に示す第１吸水渠施工装置に対応する。
当該吸水渠施工装置は、請求項１の吸水渠施工装置において、前記排土部材の前記後端が前記天井面の位置まで到達することにより、該排土部材の進行に伴って前記底面の位置より上方に存在する土塊を、前記天井面の位置まで押し上げ可能であると共に、
前記一対の前方カッターの後方にて前記両側壁面間の中央に位置する後方カッターをさらに有し、
前記後方カッターは、その上端が前記装着ロッドに装着され、その下端が前記排土部材の前記後端へ取り付けられ、かつ前記排土部材により押し上げられた土塊を２分割すべく前方側に切断刃を具備することを特徴とする。
【００１６】
（６）請求項６に係る吸水渠施工装置は、請求項５において、前記排土部材において、その前半部が前方から後方へ向かって斜め上後方へ延び、かつその後半部が地表面とほぼ平行に延びることを特徴とする。
【００１７】
（７）請求項７に係る吸水渠施工装置は、請求項６において、進行方向に対する前記前半部の角度が４５〜６０度であることを特徴とする。
【００１８】
（８）請求項８に係る吸水渠施工装置は、請求項５において、前記土蓋成型具が、前記天井面の位置の周囲土壌を圧縮する凸部を具備することを特徴とする。
【００１９】
（９）請求項９に係る吸水渠施工装置は、実施形態に示す第２吸水渠施工装置に対応する。
当該吸水渠施工装置は、請求項１の吸水渠施工装置において、前記排土部材の前記後端が、地表まで到達して前記装着ロッドへ装着されることにより、該排土部材の進行に伴って前記底面の位置より上方に存在する土塊を地表まで押し上げ可能であることを特徴とする。
【００２０】
（１０）請求項１０に係る吸水渠施工装置は、請求項９において、進行方向に対する前記排土部材の角度が４５〜６０度であることを特徴とする。
【００２１】
（１１）請求項１１に係る吸水渠施工装置は、請求項９において、前記排土部材の後半部において、前方から後方へ向かうにつれて一方の側縁が他方の側縁より次第に高くなる捻り部を形成されていることを特徴とする。
【００２２】
（１２）請求項１２に係る吸水渠施工装置は、請求項１１において、前記捻り部の捻り角として、地表位置における前記一方の側縁から前記他方の側縁への傾斜が水平に対して４５度であることを特徴とする。
【００２３】
（１３）請求項１３に係る吸水渠施工装置は、請求項９において、前記土蓋成型装置が、前記天井面の位置の周囲土壌を切断する前方刃と、切断した前記周囲土壌を通過させつつ移動又は圧縮することにより前記土蓋ブロックを成型する押圧板とを少なくとも有することを特徴とする。
【００２４】
（１４）請求項１４に係る吸水渠施工装置は、請求項１３において、前記土蓋成型具が、前記土蓋ブロックの最終形状を規定する後方成型端部を有することを特徴とする。
【００２５】
（１５）請求項１５に係る吸水渠施工装置は、請求項１３において、前記土蓋成型具が、前記押圧板により圧縮される前記周囲土壌を下方から支持する下方支持板を有することを特徴とする。
【００２６】
（１６）請求項１６に係る吸水渠施工装置は、請求項９において、前記排土部材の前記装着ロッドへの取付位置より後方にて該装着ロッドに装着され、地表に押し上げられた土塊を移動させ前記土蓋ブロック上に落とし込むことにより埋め戻す埋戻し板を有することを特徴とする。
【００２７】
（１７）請求項１７に係る吸水渠施工方法は、実施形態に示す第１吸水渠施工装置又は第２吸水渠施工装置による吸水渠施工方法に対応する。
当該吸水渠施工装置は、請求項１の吸水渠施工装置において、互いに離間して配置されかつ前方側に切断刃を具備する一対の前方カッターと、前記一対の前方カッターの下端から斜め上後方に延在する板状の排土部材と、前記排土部材の後端近傍又は後面側に設けられ土蓋ブロックを成型する土蓋成型具とを有する吸水渠施工装置を、対象土壌中において進行させることにより、天井面と両側壁面と底面とにより囲まれた吸水渠を対象土壌中に形成する吸水渠施工方法において、
(a)対象土壌中を進行しつつ、前記一対の前方カッターにより前記両側壁面の位置に該当する前記対象土壌を切断する第一工程と、
(b)対象土壌中を進行しつつ、前記切断された対象土壌の下端より上方に存在する土塊を、前記排土部材により前記天井面の位置又は地表まで押し上げることにより前記両側壁面及び前記底面を形成する第二工程と、
(c)対象土壌中を進行しつつ、前記押し上げられた土塊の後方に位置する周囲土壌を、前記土蓋成型具により切断、移動又は圧縮させて土蓋ブロックを成型することにより前記天井面を形成する第三工程とを有する。
【００２８】
（１８）請求項１８に係る吸水渠施工方法は、実施形態に示す第１吸水渠施工装置による吸水渠施工方法に対応する。
当該吸水渠施工方法は、請求項１７の吸水渠施工方法において、前記吸水渠施工装置が、前記一対の前方カッターの後方にて前記両側壁面間の中央に位置しかつ前方側に切断刃を具備する後方カッターをさらに有し、かつ前記排土部材の前記後端が前記天井面の位置まで延在する場合、
前記第二工程において、前記土塊を前記天井面の位置まで押し上げると共に、該押し上げた土塊を前記後方カッターにより２分割することを特徴とする。
【００２９】
（１９）請求項１９に係る吸水渠施工方法は、実施形態に示す第２吸水渠施工装置による吸水渠施工方法に対応する。
当該吸水渠施工装置は、請求項１７の吸水渠施工方法において、前記吸水渠施工装置の前記排土部材の前記後端が地表まで延在し、該排土部材の後半部が前方から後方へ向かうにつれて一方の側縁が他方の側縁より次第に高くなるべく捻りを形成され、かつ該吸水渠施工装置が該排土部材より後方に埋戻し板をさらに有する場合、
前記第二工程において、前記土塊を地表まで押し上げると共に、該押し上げた土塊を前記排土部材の前記捻りに従った方向に地表で倒伏させ、かつ
前記第三工程において、前記天井面を形成した後に前記埋戻し板の進行に伴って前記地表に押し上げた土塊を移動させ前記土蓋ブロック上に落とし込むことにより埋め戻すことを特徴とする。
【００３０】
（２０）請求項２０に係る吸水渠施工装置は、実施形態に示す有材吸水渠施工装置に対応する。
当該吸水渠施工装置は、両側壁面と底面とにより囲まれた空間に疎水材を充填した吸水渠を対象土壌中に形成すべく、牽引車に牽引され対象土壌中を進行することにより該空間を掘削する吸水渠施工装置において、
(a)前記牽引車の後方に連結されかつ進行方向に沿って延在する装着ロッドを具備する支持フレームと、
(b)前記支持フレームの前記装着ロッドに着脱可能に装着されかつ前記牽引車による牽引に伴って対象土壌中を進行する吸水渠形成アタッチメントとを有し、該吸水渠形成アタッチメントが、
(b1)対象土壌中を進行しつつ前記両側壁面の位置に該当する対象土壌を切断すべく、互いに離間して配置された一対の前方カッターであって、各前方カッターの上端が前記装着ロッドに装着され、下端が前記底面の位置まで到達し、かつ前方側に切断刃を具備する一対の前方カッターと、
(b2)対象土壌中を進行しつつ前記両側壁面及び前記底面を形成すべく、板状であって前記両側壁面間に亘る幅を具備し、前端が前記一対の前方カッターの下端に取り付けられ、該前端から斜め上後方へ地表まで延在して後端が前記装着ロッドに装着される排土部材とを有し、
前記排土部材の後半部が前方から後方へ向かうにつれて一方の側縁が他方の側縁より次第に高くなる捻りを形成されていることを特徴とする。
【００３１】
（２１）請求項２１に係る吸水渠施工方法は、実施形態に示す有材吸水渠施工装置による有材吸水渠施工方法に対応する。
当該吸水渠施工方法は、両側壁面と底面とにより囲まれかつ地表に開口した開放溝に疎水材を充填した吸水渠を対象土壌中に形成すべく、互いに離間して配置された一対の前方カッターと、前記一対の前方カッターの下端から斜め上後方へ地表まで延在する板状の排土部材とを有し、該排土部材の後半部が前方から後方へ向かうにつれて一方の側縁が他方の側縁より次第に高くなる捻りを形成されている吸水渠施工装置を対象土壌中において進行させることにより前記開放溝を形成し、該開放溝に該疎水材を充填する吸水渠施工方法において、
(a)対象土壌中を進行しつつ、前記一対の前方カッターにより前記両側壁面の位置に該当する前記対象土壌を切断する第一工程と、
(b)対象土壌中を進行しつつ、前記切断された対象土壌の下端より上方に存在する土塊を、前記排土部材により地表まで押し上げると共に、該押し上げた土塊を前記排土部材の前記捻りに従った方向に地表にて倒伏させることにより、前記両側壁面と前記底面とにより囲まれた前記開放溝を形成する第二工程と、
(c)前記開放溝に疎水材を充填する第三工程とを有することを特徴とする
吸水渠施工方法。
【発明の効果】
【００３２】
本発明によれば、疎水材等の資材を全く用いることなく、牽引車の牽引動力により吸水渠施工装置を牽引するだけで、対象土壌中に密閉溝である吸水渠を構築することができる。
【００３３】
本発明の吸水渠施工装置の具備する吸水渠形成アタッチメント等は、対象土壌中を進行しつつ、土壌の力学的性質を有効に利用して一対の前方カッターで前方の対象土壌を切断し、続いて土塊を押上げ、さらに引き続き天井面の位置に土蓋ブロックを形成して吸水渠を完成する。このように、本発明では、対象土壌中に溝状の空洞を形成し、発生した余分な土壌を排除することにより吸水渠を構築する。従って、従来の弾丸暗渠等のように土壌の圧縮のみにより密閉溝を形成する場合と比較して、土圧による押し戻しがない。また、吸水渠の天井面に高硬度の土蓋ブロックが形成されるので、上部からの荷重にも強く、土壌の崩落が防止できる。この結果、本発明の吸水渠は、形状維持性能が高く耐久性に優れ、長期間に亘って排水機能を発揮することができる。
【００３４】
また、本発明の吸水渠は、縦長で十分な空間を確保できるため、従来の有材吸水渠と同等の排水効果を発揮できる。
【００３５】
本発明では、吸水渠施工装置の構成部品を適宜選択し、また各構成部品の取付位置を調整することにより、種々の施工条件に柔軟に対応できると共に、目的とする吸水渠の大きさ及びその位置も容易に設定し、調整できる。また、有材吸水渠の施工にも適用でき、適用範囲が広範である。
【００３６】
本発明により、低コストと緊急的対応が可能な高速施工を追求した無材の吸水渠による土層改良を実現でき、排水不良地を優良な農地として利用することが可能となる。
【００３７】
さらに、土壌や水質、植物に対する害は全くないことから、環境や農業生産への悪影響を与えることはなく、優良な農地の創出に寄与できる。
【発明を実施するための最良の形態】
【００３８】
以下、図面を参照しつつ本発明の実施の形態を説明する。
（１）第１吸水渠施工装置及び第２吸水渠施工装置の選択
本発明の吸水渠施工装置は、牽引車の後方に連結されて牽引されることにより、対象土壌中を進行しつつ、吸水渠を施工する。対象土壌は、表層の作土の下層にある心土である。尚、以下の説明において単に「吸水渠」と称する場合は、本発明により心土中に構築される、縦長の長方形断面を有する密閉された溝状の空洞（密閉溝）を意味する。すなわち、密閉溝であるこの吸水渠は、天井面と両側壁面と底面とにより囲まれた水平方向に延在する空間である。これは無材吸水渠である。この吸水渠が、周囲土壌から余剰水を吸水及び集水し、通水させてその末端から排水する通水孔として機能する。
【００３９】
本発明は、土壌の性質及び／又は土地条件等を考慮して各構成部品を適宜選択して組み合わせることにより、基本的な構造及び機能は共通するが一部において構造及び機能の異なる２種類の吸水渠施工装置を提供する。
【００４０】
図１は、本発明における２種類の吸水渠施工装置の構築方法を概略的に示した分解図である。２種類の吸水渠施工装置を、それぞれ、第１吸水渠施工装置１Ａ及び第２吸水渠施工装置１Ｂと称することとする。図１では、それぞれに含まれる複数の構成部品を破線で囲んで示している。牽引車の後方に連結され、牽引されることにより地表を進行する支持フレーム１０は、第１及び第２吸水渠施工装置１Ａ及び１Ｂの双方に共通する構成部品である。尚、本明細書では、吸水渠施工装置の進行方向を「前側」又は「前方」と称し、反対方向を「後側」又は「後方」と称することとする。
【００４１】
第１吸水渠施工装置１Ａを構成する場合、支持フレーム１０に対して着脱可能に装着される構成部品として、第１吸水渠形成アタッチメント２０が選択される。第１吸水渠形成アタッチメント２０には土蓋成型具２６が一体的に取り付けられている。
【００４２】
一方、第２吸水渠施工装置１Ｂを構成する場合、支持フレーム１０に装着される構成部品として、第２吸水渠形成アタッチメント３０と、埋戻し板３５と、土蓋成型具３６とが選択される。第２吸水渠形成アタッチメント３０及び埋戻し板３５は、支持フレーム１０に対して着脱可能に装着される。土蓋成型具３６については、第２吸水渠形成アタッチメント３０の後面側（図１において右手側）に着脱可能に取り付けられる。土蓋成型具３６は、土壌条件等を考慮して形状の異なる数種類の中から選択して取り付けられる。図１には、５種類の第１〜第５土蓋成型具３６ａ〜３６ｅが示されている。
【００４３】
第１吸水渠アタッチメント２０及び第２吸水渠アタッチメント３０は、それぞれを支持フレーム１０上の同じ取付け位置に装着可能である。
【００４４】
図１に示した第１及び第２吸水渠施工装置１Ａ及び１Ｂの各構成部品の詳細な形状及び機能については、後述することとする。
【００４５】
（２）第１吸水渠施工装置及びその施工方法
図２〜図６を参照しつつ、第１吸水渠施工装置１Ａ及びその施工方法を説明する。図２は、図１に示した支持フレーム１０と、第１吸水渠形成アタッチメント２０とを組合せることにより構成した第１吸水渠施工装置１Ａの全体側面図である。第１吸水渠形成アタッチメント２０は、支持フレーム１０の後半部の下側に位置するように装着される。
【００４６】
第１吸水渠施工装置１Ａ及びその施工方法の概要を説明するために、図３を参照する。図３は、第１吸水渠施工装置１Ａにより対象土壌６０中に吸水渠を形成する施工状況を示す概略側面図である。対象土壌６０中は断面で示している。支持フレーム１０は、牽引車４０の後方へ連結されることにより地表６０ａ上で牽引される。支持フレーム１０の前端の連結部１１ａ、１１ｂが、牽引車４０の後尾に設けた連結リンク４１へ接続固定される。連結部１１ａ、１１ｂから後方へ延びる接続リンク１２ａ等を介して装着ロッド１４ａが接続されている。装着ロッド１４ａの下側には、第１吸水渠形成アタッチメント２０が装着される。装着ロッド１４ａは、進行方向に沿って水平に延在する棒体である。
【００４７】
支持フレーム１０が進行方向に牽引されると、第１吸水渠形成アタッチメント２０は、対象土壌６０中を進行する。図３においては、第１吸水渠形成アタッチメント２０の前方側の対象土壌６０中には、目的とする吸水渠は未だ形成されていない。一方、第１吸水渠形成アタッチメント２０の後方側の対象土壌６０中には、吸水渠６２が既に形成されている。第１吸水渠形成アタッチメント２０は、前方側に切断刃を具備する一対の前方カッター２１、２２（片側の２１のみ図示）を具備する。第１吸水渠形成アタッチメント２０が進行するとき、一対の前方カッター２１、２２は対象土壌６０を垂直方向に切断する。その切断深さは、目的とする吸水渠６２の底面６２ｂの位置に到達する距離である。
【００４８】
第１吸水渠形成アタッチメント２０の前方カッター２１、２２の下端からは、板状の排土部材２４が斜め上後方へ延在する、この排土部材２４は、一対の前方カッター２１、２２の間に存在する土塊６１をすくい上げ、押し上げる働きをする（矢印Ｓ１参照）。排土部材２４の後尾は、目的とする吸水渠６２の天井面６２ｃの位置まで到達しているため、排土部材２４によりすくい上げられた土塊６１は、この天井面６２ｃの位置まで押し上げられることとなる。
【００４９】
第１吸水渠形成アタッチメント２０は、押し上げられた土塊６１を垂直方向に２分割するための１本の後方カッター２３を具備する。後方カッター２３は、目的とする吸水渠６２の幅方向中央に相当する位置に設けられる。
【００５０】
さらに、第１吸水渠形成アタッチメント２０は、後方カッター２３及び排土部材２４の後端近傍に土蓋成型具２６を具備する。排土部材２４により押し上げられ、後方カッター２３により中央で２分割された土塊６１ａは、さらに土蓋成型具２６により上方又は斜め上方へ押圧されて圧縮され、高硬度の土蓋ブロック６３ａを形成する。これにより吸水渠６２の形状維持性能が確保される。
【００５１】
図３に示した第１吸水渠施工装置１Ａ及びその施工方法は、緊密な灰色台地土若しくは灰色低地土、中粗粒の多湿黒ボク土又は乾燥密度の高いグライ土に適している。
【００５２】
図４Ａは、支持フレーム１０のさらに詳細な構造を示す側面図である。連結部１１ａ及び１１ｂは、牽引車の後尾へ接続固定する際にその高さを調節できる。前端の連結部１１ａ、１１ｂから後方へ、上接続リンク１２ａ及び下接続リンク１２ｅと、接続ロッドジョイント１２ｄを介して接続された接続ロッド１２ｂ及び１２ｃとを具備する接続部材が延在する。
【００５３】
これらの接続部材１２ａ〜１２ｅの後端には、複数の装着ロッド調節孔１３ａ及び１３ｂを具備する装着ロッド連結部が設けられる。装着ロッド１４ａの前端は、下側の装着ロッド連結孔１３ｂの１つに連結される。装着ロッド１４ａの高さを変更する場合は、別の装着ロッド連結孔１３ｂに連結する。一方、調整シリンダ１４ｄ及びその両側の調整シリンダロッド１４ｂ及び１４ｃは、装着ロッド調節孔１３ａと、装着ロッド１４ａの中央付近とを連結するように設けられる。調整シリンダ１４ｄにより、装着ロッド１４ａの水平に対する角度を調整することができ、装着ロッド１４ａを水平に維持するように設定する。
【００５４】
装着ロッド１４ａの両側面には、第１吸水渠形成アタッチメント２０の前方カッターの上端を取り付ける取付部１５ａが設けられる。これは、後述する第２吸水渠形成アタッチメント３０の前方カッターを取り付ける場合も用いられる。さらに、装着ロッド１４ａの下面には、第１吸水渠形成アタッチメント２０の後方カッターの上端を取り付ける取付部１５ｂが設けられる。各取付部は、ピン若しくはボルト孔及び／又は適宜の取付板等から構成される。
【００５５】
尚、第１吸水渠形成アタッチメント２０を選択した場合には、第２吸水渠形成アタッチメントの排土部材の後端を取り付ける取付部１５ｃ、並びに、第２吸水渠形成アタッチメントと共に用いる埋戻し板を取り付ける取付部１５ｄについては、何も取り付けない。
【００５６】
図４Ｂは、第１吸水渠形成アタッチメント２０のさらに詳細な構造を示す斜視図である。第１吸水渠形成アタッチメント２０は、互いに離間して配置された一対の前方カッター２１、２２を具備する。前方カッター２１、２２の各々の上端は、前述の支持フレームの装着ロッド１４ａ（破線で示す）に取り付けられる。前方カッター２１、２２の各々の下端は、目的とする吸水渠の底面の位置まで到達するように設定される。前方カッター２１、２２の側面はそれぞれ垂直面内にあり、側面同士は互いに平行である。前方カッター２１、２２の互いの間隔は、目的とする吸水渠の幅に相当するように設定される。この場合、形成される吸水渠の断面形状は、長方形である。
【００５７】
前方カッター２１、２２の各々の前方側には、それぞれ切断刃２１ａ、２２ａが設けられる。切断刃２１ａ、２２ａは、垂直方向に対して斜め下後方へ４５°以下の角度θ１で傾斜している。好適には、角度θ１は、３０°程度である。排水改良を必要とする粘土土壌等では、前方カッター２１、２２により心土を切断した際にその土壌に発生する破壊領域（切断箇所以外に波及する土壌破砕部分）が、前方カッター下端から上方向に内部摩擦角に相当する０〜３０°で広がることが知られている。本発明では、前方カッター２１、２２は、土壌を塑性的に切断することが重要であり、切断箇所以外の部分の土壌を破壊したり乱したりしないことが望ましい。このことは、所望する形状であってかつ形状維持性能の高い吸水渠を施工するために必要である。従って、土壌破砕が発生しないように、前方カッターの角度θ１を内部摩擦角以上の０〜４５度の範囲内に設定する。これにより、前方カッター２１、２２下端から前方に発生する土壌破砕を抑制することができる。一対の前方カッター２１、２２は、対象土壌中を進行しつつ、目的とする吸水渠の両側壁面に該当する位置の土壌のみを切断する。
【００５８】
好適には、各々の切断刃２１ａ、２２ａは、カッター２１、２２の長さ方向に沿って直線状又は波形状に加工されている。好適には、波形状が半円を繰り返した形状である。これによっても、前方カッター２１、２２と土壌との摩擦を軽減して、切断箇所以外の土壌の破壊を防止する。
【００５９】
前方カッター２１、２２の下端には、板状の排土部材２４の前端が取り付けられる。排土部材２４は、その前端から斜め上後方へと延在する。そして排土部材２４の後端は、目的とする吸水渠の天井面の位置まで到達する。排土部材２４は、その長手方向全体において、目的とする吸水渠の両側壁面間に亘る幅を有している。好適には、排土部材２４の前半部は前方から後方へ向かって斜め上後方へ延び、かつその後半部が地表面とほぼ平行に延びる。さらに好適には、進行方向に対する前半部の傾斜角度が４５〜６０度である。第１吸水渠形成アタッチメント２０が対象土壌中を進行するとき、前方カッター２１、２２による切断箇所の間に存在する土塊は、すぐ後方に設けられた排土部材２４の表面上に滑り上がり、すくい上げられる。この結果、排土部材２４上に載った土塊は、排土部材２４の後端の高さまで押し上げられる。
【００６０】
排土部材２４は、例えば、骨格となる適宜の厚さの土壌押上板２４ａと、土壌押上板２４ａの下側全面に層状に貼り付けられた補強板２４ｂと、土壌押上板２４ａの表面の適宜箇所に層状に貼り付けられた摩擦軽減板２４ｃとから構成される。補強板２４ｂは、排土部材２４全体を支持し補強する。摩擦軽減板２４ｃは、土塊の付着を防止することにより、土塊と排土部材２４との間の摩擦を軽減する。これにより土塊が円滑に排土部材２４上に滑り上がる。
【００６１】
さらに、前方カッターの後方には、１本の後方カッター２３が設けられる。後方カッター２３は、目的とする吸水渠の両側壁面間の中央に相当する位置に設けられる。後方カッター２３の上端は装着ロッド１４ａに取り付けられ、下端は排土部材２４の後端へ取り付けられる。第１吸水渠形成アタッチメント２０が対象土壌中を進行するとき、前方カッター２１、２２により切断され、排土部材２４により押し上げられた土塊は、後方カッター２３により縦に２分割される。このとき、２分割された左右の各土塊は、後方カッター２３の厚さの分だけ横方向外側へ押圧され、圧縮固定される。これによって、吸水渠の上方の土塊の硬度を増すことができ、吸水渠の形状維持性能の向上に寄与する。
【００６２】
またさらに、後方カッター２３の下端の後面側であって排土部材２４の後端近傍には、土蓋成型具２６が設けられる。土蓋成型具２６は、進行方向に沿って中央部が上方に突出した形状を有する。従って、第１吸水渠形成アタッチメント２０が対象土壌中を進行するとき、土蓋成型具２６は、後方カッター２３による切断箇所を中心として土塊を上方又は斜め上方に押圧することにより圧縮する。この結果、目的とする吸水渠の天井面の位置に高硬度の土蓋ブロックが形成される。土蓋ブロックは、吸水渠の形状維持性能の向上に大きく寄与する。このようにして、第１吸水渠形成アタッチメント２０により、耐久性のある吸水渠が形成される。
【００６３】
図４Ｃは、図４Ｂに示した第１吸水渠形成アタッチメント２０の一対の前方カッター２１、２２をさらに詳細に示す断面図である。図４Ｃ(ａ)は図４ＢのＡ−Ａ拡大断面図である。一対の前方カッター２１、２２の各々の切断刃２１ａ、２２ａは、テーパを具備する。図４Ｃ（ａ）の例では、両面のテーパが付けられている。図４Ｃ(ｂ)は別の実施例における同じくＡ−Ａ拡大断面図である。図４Ｃ(ｂ)の場合は、切断刃２１ａ、２２ａのテーパが異なる向きに付けられている。但し、テーパの向きはいずれであってもよい。このように、切断刃２１ａ、２２ａにテーパを付けることによっても、進行方向及び側面方向への細かい土壌破砕を防止することができる。
【００６４】
尚、前方カッターの切断刃２１ａ、２２ａのテーパと同様に、前述の後方カッター２３の切断刃２３ａにもテーパが付けられることが好適である。従って、排土部材２４により押し上げられた土塊を後方カッター２３が２分割する際にも、土壌破砕を抑制することができる。これにより、均等に２分割された土塊として土蓋ブロックの成型（圧縮）処理を行うことができる。
【００６５】
図４Ｃ(ｃ)は、前方カッター２１、２２の別の実施例を示す図である。前方カッター２１、２２は、互いに平行に立設させられるが、必ずしも切断刃２１ａ、２２ａの位置が横方向に揃っていなくともよい。図示の通り、前方カッター２１、２２の幅の範囲内で適宜の距離ΔＬだけずらしてもよい。
【００６６】
尚、第１吸水渠形成アタッチメント２０の別の実施例においては、一対の前方カッター２１、２２の互いの間隔が上方から下方に向かって次第に狭くなるように構成してもよい。排土部材２４の幅についても、一対の前方カッター２１、２２の間隔に適合させて後方に向かうにつれて拡げる。この場合、形成される吸水渠の断面形状は長方形ではなく、逆台形となる。
【００６７】
図４Ｄは、図４Ｂに示した第１吸水渠形成アタッチメント２０の土蓋成型具２６をさらに詳細に示す図である。図４Ｄ(ａ)は、土蓋成型具２６の取付け部分を示す斜視図である。図４Ｄ(ｂ)は、同じく上面図であり、図４Ｄ(ｃ)は同じく後面図である。土蓋成型具２６は、排土部材２４の後端近傍の表面側であって後方カッター２３の下端の後ろ側に装着されている。土蓋成型具２６は、その幅方向中央部に上方へ突出した凸部２６ａを具備する。この凸部２６ａは、目的とする吸水渠の天井面の位置の周囲土壌を上方又は斜め上方に圧縮し固定する働きをする。尚、図示の例では、土蓋成型具２６の進行方向に垂直な断面形状は、後面図に示すように三角形である。この土蓋成型具２６の断面形状により、目的とする吸水渠の天井面の形状が決定される。土蓋成型具２６の断面形状は、図示の三角形に限られず、半円状、半楕円状等でもよい。いわゆるアーチ型と称されるものはいずれも含まれる。
【００６８】
図５は、第１吸水渠施工装置１Ａによる施工状況を詳細に示す一部切欠き斜視断面図である。牽引車(図示せず)により牽引される支持フレームの装着ロッド１４ａには、第１吸水渠形成アタッチメントが装着されている。牽引されることにより、第１吸水渠形成アタッチメント２０は対象土壌中を進行する。以下、対象土壌中を進行しつつ第１吸水渠形成アタッチメント２０により行われる吸水渠施工方法を説明する。
【００６９】
一対の前方カッター２１、２２の切断刃２１ａ、２２ａが対象土壌を縦方向に切断する。この切断箇所は、目的とする吸水渠６２の両側壁面６２ａの位置に該当する。切断刃２１ａ、２２ａは、その傾斜角度θ１が垂直方向に対して下斜め後方へ０〜４５度の範囲内、好適には３０度である。さらに好適には波形状に形成されテーパを付けられることにより、切断箇所以外の土壌破砕を抑制する。この結果、塑性を有した土塊６１を前方の対象土壌から切り出すことができる。土塊６１は、縦長の直方体ブロック状である。このことは同時に、吸水渠６２の両側壁面６２ａが、土壌破砕を生じていない状態すなわち乱れのない状態で形成されることを意味する。この結果、本発明の吸水渠の形状維持性能の向上に寄与する。
【００７０】
切断刃２１ａ、２２ａによる切断に続いて、切り出された土塊６１全体が排土部材２４上によりすくい上げられ、目的とする吸水渠６２の天井面６２ｃの位置まで押し上げられる。厳密にいえば、この時点では未だ土蓋ブロック６３ａが成型されていないので、最終的な天井面６２ｃの位置よりやや下方の位置である。土塊６１が押し上げられると、その分だけ土塊６１の上端部分が地表６０ａより突出する。
【００７１】
排土部材２４により押し上げられた土塊６１は、引き続き後方カッター２３により縦半分に２分割され、左右の土塊６１ａ、６１ａとなる。この左右の土塊６１ａ、６１ａは、後方カッター２３の厚さの分だけそれぞれ左右に押圧され、両側の土壌に埋め込まれる。これによっても吸水渠の形状維持性能が高められる。
【００７２】
続いて、後方カッター２３の後ろ側に設けた土蓋成型具２６が、２分割された土塊６１ａ、６１ａの下端中央部分を押圧する。これにより、左右の土塊６１ａ、６１ａが上方又は斜め上方へ押圧され、結果的にさらに強く左右両側の土壌へそれぞれ押し付けられる。同時に、土塊６１ａ、６１ａの下端が、土蓋成型具２６の形状と同じ形状に圧縮成型される。こうして、吸水渠６２の天井面６２ｃに高硬度の土蓋ブロック６３ａが成型される。
【００７３】
一方、地表より突出した土塊６１ａ、６１ａの上端部分は、後方カッター２３による左右へ押し広げようとする力と、自重とにより、地表６０ａにおいて左右それぞれの方向へ倒伏する。地表６０ａに倒伏した土塊は、再び地中へ戻ることはない。この結果、吸水渠の土蓋ブロック６３にかかる上方の荷重が減少する。こうして、施工が完了する。
【００７４】
このように、第１吸水渠施工装置による吸水渠施工方法では、対象土壌中を掘削して余分な土壌を排除して密閉溝を形成し、天井面に土蓋ブロックを成型することにより、吸水渠を完成する。この吸水渠は、対象土壌中に溝状の空洞をくり抜いたのと同じ状態である。従って、従来の弾丸暗渠等のように土壌の圧縮のみにより密閉溝を形成する場合と比較して、土圧による押し戻しがない。また、吸水渠の天井面に高硬度の土蓋ブロックが形成されるので、上部からの荷重にも強く、土壌の崩落が防止できる。この結果、本発明の吸水渠の密閉溝は耐久性に優れ、長期間に亘って排水機能を発揮することができる。
【００７５】
図６は、第１吸水渠施工装置を用いて吸水渠を施工した状況を模式的に示す対象土壌の切り欠き断面図である。通常、吸水渠は、作土８０の下層の心土に構築される。本発明の施工方法は、例えば、先ず図６に示すように排水路７１の側壁法面を始点として吸水渠６２−１を施工し、これに交わるように吸水渠６２−２を施工することができる。これにより、十字に交差した吸水渠６２−１、６２−２が構築される。
【００７６】
また、吸水渠６２は、資材を用いないため前述の第１吸水渠施工装置を牽引するだけで施工が完了する。このように簡易かつ迅速に施工できることから、１又は複数の吸水渠の各々の配線方向並びに互いの間隔を自由に設計できる。加えて、直線状に限らず、曲線状及び蛇行状の配線も可能である。一例として、排水路７１を始点として複数の吸水渠６２を同一方向に平行に施工することができる。別の例として、排水路７１を始点として先ず１本の吸水渠６２を施工し、この１本の吸水渠６２の途中から１又は複数の別の吸水渠６２を分岐させるように施工することもできる。このように、多様な施工設計に対応できる。
【００７７】
また、既存の排水改良設備が存在する場合、例えば暗渠排水管７３等が既に設置されている場合は、本発明の吸水渠６２を通常の位置に施工すると、既存設備を破損するおそれがある。従って、これらの既存設備を避けることも施工条件の一つである。図４で説明したように、本発明の第１吸水渠施工装置は、支持フレームの高さを変えることで、第１吸水渠形成アタッチメントの高さを変更することができる。このことは、形成する吸水渠の底面の位置を調整できることを意味する。これにより、暗渠排水管７３等よりも高い位置すなわち対象土壌中の浅い層に吸水渠６２’を形成し、暗渠排水管７３等の破損を回避する。
【００７８】
本発明の吸水渠６２は、縦長の密閉溝であり、対象土壌中の比較的浅い層まで天井面が達している。従って、吸水渠６２全体が吸水及び集水、通水空間となり得る。このことは、疎水材を用いた暗渠排水と同等の優れた排水性及び通水性を有することを意味する。吸水渠６２内に泥土沈積物７４が堆積しても、本発明の吸水渠６２は、従来の暗渠排水管７３のような狭い通水空間でないことから、通水阻害が発生しない。
【００７９】
（３）第２吸水渠施工装置及びその施工方法
図７〜図１７を参照しつつ、第２吸水渠施工装置及びその施工方法を説明する。図７は、図１に示した支持フレーム１０と、第２吸水渠形成アタッチメント３０と、第１〜第５の土蓋成型具３６ａ〜３６ｅのいずれかと、埋戻し板３５とを組合せることにより構成した第２吸水渠施工装置１Ｂの全体側面図である。第２吸水渠形成アタッチメント３０は、支持フレーム１０の後半部の下側に位置するように装着される。図７では、第１土蓋成型具３６ａが取り付けられている。
【００８０】
第２吸水渠施工装置１Ｂ及びその施工方法の概要を説明するために、図８を参照する。図８は、第２吸水渠施工装置１Ｂにより対象土壌６０中に吸水渠を形成する施工状況を示す概略側面図である。対象土壌６０中は断面で示している。支持フレーム１０は、牽引車４０の後方へ連結されることにより地表６０ａ上で牽引される。支持フレーム１０の前端の連結部１１ａ、１１ｂが、牽引車４０の後尾に設けた連結リンク４１へ接続固定される。連結部１１ａ、１１ｂから後方へ延びる接続リンク１２ａ等を介して装着ロッド１４ａが接続されている。装着ロッド１４ａの下側には、第１吸水渠形成アタッチメント２０が取り付けられる。装着ロッド１４ａは、進行方向に沿って水平に延在する棒体である。尚、牽引車４０及び支持フレーム１０の構造については、前述の第１吸水渠施工装置１Ａを用いる場合と共通である。
【００８１】
支持フレーム１０が進行方向に牽引されると、第２吸水渠形成アタッチメント３０は、対象土壌６０中を進行する。図８においては、第２吸水渠形成アタッチメント３０の前方側の対象土壌６０中には、目的とする吸水渠は未だ形成されていない。一方、第２吸水渠形成アタッチメント３０の後方側の対象土壌６０中には、吸水渠６２が既に形成されている。第２吸水渠形成アタッチメント３０は、前方側に切断刃を具備する一対の前方カッター３１、３２（片側の３１のみ図示）を具備する。第２吸水渠形成アタッチメント３０が進行するとき、一対の前方カッター３１、３２は対象土壌６０を垂直方向に切断する。その切断深さは、目的とする吸水渠６２の底面６２ｂの位置に到達する距離である。尚、前方カッターの構造については、前述の第１吸水渠形成アタッチメント２０と共通する。
【００８２】
第２吸水渠形成アタッチメント３０の前方カッター３１、３２の下端からは、板状の排土部材３４が斜め上後方へ延在する、この排土部材３４は、一対の前方カッター３１、３２の間に存在する土塊６１をすくい上げ、押し上げる働きをする（矢印Ｓ２参照）。排土部材３４の後尾は、地表６０ａまで達しているため、排土部材３４によりすくい上げられた土塊６１は、地表６０ａまで押し上げられ、一旦完全に地表６０ａに排土されることとなる。土塊６１が完全に排土されると、地表６０ａに開口した開放溝が形成される。このように、第２吸水渠施工装置においては、天井面をもつ密閉溝である吸水渠を完成する前段階として、両側壁面と底面により囲まれ地表に開口した開放溝が形成される。
【００８３】
図示の例では、第２吸水渠形成アタッチメント３０は、排土部材３４の後面側に第１土蓋成型具３６ａを設けている。土蓋成型具３６は、目的とする吸水渠６２のほぼ天井面の位置に設けられる。土蓋成型具３６は、形成された開放溝に対し、目的とする吸水渠６２の天井面６２ｃ近傍の周囲土壌を適宜の断面形状で切断し、切断した周囲土壌を通過させつつ移動又は圧縮することにより土蓋ブロック６３ａを成型する。土蓋ブロック６３ａの下面の一部は、目的とする吸水渠６２の天井面６２ｃを形成する。土蓋ブロック６３ａは圧縮されているため高硬度である。これにより吸水渠６２の形状維持性能が確保される。
【００８４】
図８に示した第２吸水渠施工装置１Ｂは、軟らかい泥炭土若しくは軟らかく粘質なグライ土に適している。
【００８５】
図９Ａは、支持フレーム１０のさらに詳細な構造を示す側面図である。支持フレーム１０は、図４Ａに示したものと共通であるので説明を省略する。尚、第２吸水渠形成アタッチメント３０を選択した場合には、装着ロッド１４ａの取付部１５ｃに対して第２吸水渠形成アタッチメント３０の排土部材３４の後端を取り付ける。また、装着ロッド１４ａの取付部１５ｄに対して埋戻し板３５を取り付ける。
【００８６】
図９Ｂは、第２吸水渠形成アタッチメント３０のさらに詳細な構造を示す斜視図である。第２吸水渠形成アタッチメント３０は、互いに離間して配置された一対の前方カッター３１、３２を具備する。前方カッター３１、３２の各々の上端は、前述の支持フレームの装着ロッド１４ａ（破線で示す）に装着される。前方カッター３１、３２の各々の下端は、目的とする吸水渠の底面の位置まで到達するように設定される。前方カッター３１、３２の側面はそれぞれ垂直面内にあり、側面同士は互いに平行である。前方カッター３１、３２の互いの間隔は、目的とする吸水渠の幅に相当するように設定される。この場合、形成される吸水渠の断面形状は、長方形である。
【００８７】
前方カッター３１、３２の各々の前方側には、それぞれ切断刃３１ａ、３２ａが設けられる。切断刃３１ａ、３２ａは、垂直方向に対して斜め下後方へ４５°以下の角度θ１で傾斜している。好適には、角度θ１は、３０°程度である。この角度θ１については、前述の第１吸水渠形成アタッチメントにおける前方カッターと同様に、切断箇所以外に土壌破砕を発生させないために設けている。一対の前方カッター３１、３２は、対象土壌中を進行しつつ、目的とする吸水渠の両側壁面に該当する位置の土壌のみを切断する。
【００８８】
前述の第１吸水渠形成アタッチメントにおける前方カッターと同様に、好適には、各々の切断刃３１ａ、３２ａは、カッター３１、３２の長さ方向に沿って直線状又は波形状に加工されている。好適には、波形状が半円を繰り返した形状である。これによっても、前方カッター３１、３２と土壌との摩擦を軽減して、切断箇所以外の土壌の破壊を防止する。尚、前述の第１吸水渠形成アタッチメントにおいて図４Ｃを参照して説明した前方カッターの各実施例は、第２吸水渠形成アタッチメント３０における前方カッター３１、３２にも適用可能である。
【００８９】
さらに、前方カッター３１、３２の下端には、板状の排土部材３４の前端が取り付けられる。排土部材３４は、その前端から斜め上後方へと延在する。そして排土部材３４の後端は、地表まで到達して装着ロッド１４ａへ取り付けられる。好適には、排土部材３４の進行方向に対する平均的な傾斜角度は、４５〜６０度である。排土部材３４は、例えば、骨格となる適宜の厚さの土壌押上板３４ａと、その後面側にて幅方向中央に長手方向に沿って設けられた補強部材３４ｂと、土壌押上板３４ａの表面に層状に貼り付けられた摩擦軽減板３４ｃとから構成されている。補強部材３４ｂは、土壌押上板３４ａの後面から立設しかつその両面は、垂直面内にある。補強部材３４ｂには、長手方向に沿って複数の土蓋成型具取付部３４ｄが設けられている。土蓋成型具取付部３４ｄは、具体的には、ピン又はボルトの取付孔等である。複数の土蓋成型具取付部３４ｄにより、土蓋成型具３６の取付位置を調整することができる。摩擦軽減板３４ｃは、排土部材３４への土壌の付着を防止し、円滑に土塊をすくい上げ、押し上げるためのものである。
【００９０】
さらに好適には、排土部材３４の後半部、より具体的には土壌押上板３４ａの後半部において、捻り部３４ａ１が形成されている。捻り部３４ａ１では、前方から後方へ向かうにつれて一方の側縁が他方の側縁より次第に高くなっている。ここで、排土部材３４の後半部の捻りについて、図９Ｃを参照しつつ詳細に説明する。
【００９１】
図９Ｃ(ａ)〜(ｅ)は、排土部材３４をそれぞれ左側面、上面、底面、前面及び後面から見た図である。図９Ｃ(ａ)の左側面図に示すように、後半部において捻り部３４ａ１が設けられている（捻り方向を矢印で示す）。但し、図９Ｃ(ｄ)〜(ｅ)の各図に示すように、排土部材３４を水平面内又は垂直面内に投射したときの幅Ｗ０は長手方向全体に亘って一定である。すなわち、排土部材３４は、捻り部３４ａ１においても目的とする吸水渠の両側壁面間に亘る幅を維持する。
【００９２】
図９(ｆ)〜(ｈ)は、それぞれ図９(ｂ)の上面図におけるＢ−Ｂ拡大断面、Ｃ−Ｃ拡大断面、及びＤ−Ｄ拡大断面を概略的に示す図である。土壌押上板３４ａの前半部では、図９(ｆ)に示すように幅方向両縁は水平であるが、後半部では、図９(ｇ)に示すように幅方向の一方の側縁が他方の側縁より高くなる傾斜がつけられる。さらに、図９(ｈ)に示すように後方へいくほどこの傾斜は大きくなる。好適には、この捻り部３４ａ１の捻り角θ２として、地表位置における一方の側縁から他方の側縁への傾斜が水平に対して４５度となるようにする。しかしながら、図９(ｈ)に示すように土壌押上板３４ａの水平方向における幅Ｗ０は一定である。従って、傾斜方向における土壌押上板３４ａの実際の幅Ｗ１は、後方にいくほど拡げられている。
【００９３】
再び図９(Ｂ)を参照する。排土部材３４の後面側に設けた土蓋成型具取付部３４ｄには、土蓋成型具３６が取り付けられる。土蓋成型具３６は、土壌条件等に応じて幾つかの種類の中から選択されるが、これについては後に詳述する。
【００９４】
さらに、埋戻し板３５が装着ロッド１４ａの後尾に装着される。埋戻し板３５の前面３５ａは図示のような凹面となっている。埋戻し板３５は、装着ロッド１４ａの軸上ではなく、排土部材３４の捻り部３４ａ１の傾斜面が向いている側に偏位して取り付けられる。また、埋戻し板３５の前面３５ａは、進行方向前方を向いておらず、装着ロッド１４ａの軸側へ傾けられている。埋戻し板３５の取付高さを調整できるように、取付部１５ｄには垂直方向に複数のピン又はボルト等の取付孔が設けられる。
【００９５】
第２吸水渠アタッチメント３０の別の実施例においては、一対の前方カッター３１、３２の互いの間隔が上方から下方に向かって次第に狭くなるように構成してもよい。排土部材３４の幅についても、一対の前方カッター３１、３２の間隔に適合させて後方に向かうにつれて拡げる。この場合、形成される吸水渠の断面形状は長方形ではなく、逆台形となる。
【００９６】
図１０は、第２吸水渠施工装置１Ｂによる施工状況を詳細に示す一部切欠き斜視断面図である。但し、図１０では、図９Ｂに示した土蓋成型具３６及びその機能については省略している。従って、実際の施工とは異なり吸水渠６２の天井面は形成されておらず、開放溝の状態で示されている。土蓋成型具３６及びその機能については、図１１Ａ〜図１５において詳細に説明する。
【００９７】
牽引車(図示せず)により牽引される支持フレームの装着ロッド１４ａには、第２吸水渠形成アタッチメントが装着されている。牽引されることにより、第２吸水渠形成アタッチメント３０は対象土壌中を進行する。以下、対象土壌中を進行しつつ第２吸水渠形成アタッチメント３０により行われる吸水渠施工方法の一部を説明する。
【００９８】
一対の前方カッター３１、３２の切断刃３１ａ、３２ａが対象土壌を縦方向に切断する。この切断箇所は、目的とする吸水渠６２の両側壁面６２ａ、６２ａ’の位置に該当する。切断刃３１ａ、３２ａは、その傾斜角度θ１が垂直方向に対して下斜め後方へ０〜４５度の範囲内、好適には３０度である。さらに好適には、波形状に形成されテーパを付けられることにより、切断箇所以外の土壌破砕を抑制する。この結果、塑性を有した土塊６１を前方の対象土壌から切り出すことができる。土塊６１は、縦長の直方体ブロック状である。このことは同時に、吸水渠６２の両側壁面６２ａ、６２ａ’が、土壌破砕を生じていない状態すなわち乱れのない状態で形成されることを意味する。この結果、本発明の吸水渠の形状維持性能の向上に寄与する。
【００９９】
切断刃３１ａ、３２ａによる切断に続いて、切り出された土塊６１全体が排土部材３４上によりすくい上げられ、排土部材３４上に載って斜め上後方へ滑り上がり、地表６０ａまで押し上げられる。この滑り上がる途上において、土塊６１は、排土部材３４の捻り部３４ａ１に対応して徐々に傾く。土塊６１は、捻り部３４ａ１の傾斜と自重により、捻り部３４ａ１の傾斜面が向いている側の地表６０ａへ倒伏する。倒伏した土塊６１ｂは、再び開放溝内に落ち込むことはない。
【０１００】
このように、第２吸水渠形成アタッチメント３０の排土部材３４は、土塊６１を完全に地表に押し上げて排土することにより開放溝を形成する。従って、土圧による開放溝に対する押し戻しがなく、安定に形状が維持される。
【０１０１】
図１０では省略したが、実際には、排土部材３４が開放溝を形成する一方で、排土部材３４の後面に取り付けた土蓋成型具が、開放溝の周囲土壌を用いて速やかに土蓋ブロックを成型し、目的とする吸水渠６２の天井面を形成する。
【０１０２】
図１に示したように、第２吸水渠施工装置では、数種類の土蓋成型具３６ａ〜３６ｅのいずれかを、土層の構成やその性質により選択して用いる。例えば、対象地盤中における土蓋成型具の位置に泥炭層が存在する場合、その泥炭層が高含水比であれば第５土蓋成型具３６ｅが好適である。一方、泥炭層が低含水比であれば第１又は第４土蓋成型具３６ａ、３６ｄが好適である。また、泥炭の構成が中間泥炭と高位泥炭のときは全タイプの土蓋成型具３６ａ〜３６ｅを適用できる。
【０１０３】
また、対象地盤中における土蓋成型具の位置に粘質なグライ土が存在する場合、そのグライ土が高粘着性であれば第２、第３又は第５土蓋成型具３６ｂ、３６ｃ、３６ｅが好適である。中粘着性であれば第１又は第４土蓋成型具３６ａ、３６ｄが好適である。
【０１０４】
以下、各土蓋成型具について順次説明する。
図１１Ａは、第１土蓋成型具３６ａによる施工状況、並びに形成される土蓋部６３を模式的に示す部分斜視図である。第１土蓋成型具３６ａは、排土部材３４の後面側に設けた補助部材３４ｂ上の土蓋成型具取付部３４ｄに対して取り付ける。第１土蓋成型具３６ａの上面に垂直に立設した取付部３６ａ５は、例えば一対の平板からなり、ピン又はボルト通し孔が穿設されている。この一対の平板により補助部材３４ｂ上の土蓋成型具取付部３４ｄを挟持する。そして、挟持した状態でピン又はボルトにより固定する。第１土蓋成型具３６ａの取付高さは、目的とする吸水渠６２の天井面の位置に設定する。この取付高さは、調整可能である。
【０１０５】
図１０で述べた通り、排土部材３４の進行により対象土壌中には、開放溝が形成される。この開放溝の幅は、目的とする吸水渠６２の幅に相当する。
【０１０６】
第１土蓋成型具３６ａは、この開放溝の周囲土壌（すなわちここでは開放溝の両側壁面の周囲土壌）を用いて土蓋部６３を形成する。土蓋部６３は、周囲土壌を切り出し圧縮した土蓋ブロック６３ａと、それにより生じた切出し空洞６３ｂとからなる。土蓋ブロック６３ａの下面の一部は、目的とする吸水渠６２の天井面６３ｃとなる。
【０１０７】
斯かる土蓋部６３を形成するために、第１土蓋成型具６３ａは、目的とする吸水渠６２の天井面の位置の周囲土壌を切断する前方刃３６ａ１を具備する。前方刃３６ａ１の形状は、水平部分とその両端からそれぞれ下方に延びる部分とを具備する。下方に延びる部分同士の間隔は開放溝の幅より広い。従って、前方刃３６ａ１は、開放溝の両側壁面より外側へ突出している。
【０１０８】
斯かる前方刃３６ａ１により切り出された周囲土壌は、前方刃３６ａ１から後方へ延びる押圧板３６ａ２に囲まれた空間内を通過させられる。押圧板３６ａ２は、その前端が前方刃３６ａ１であり後方へいくに従って両側の角部の丸みが大きくなる。つまり、押圧板３６ａ２の囲む空間の断面積は、後方にいくに従って縮小していく。この結果、この押圧板３６ａ２内を通過していく周囲土壌は次第に中央へ向かって押圧され、圧縮される。最終的には、押圧板３６ａ２の後端である後方成型端部３６ａ３のアーチ形状に圧縮成型される。このように、後方成型端部３６ａ３は、土蓋ブロック６３ａの最終形状を規定する。
【０１０９】
一方、押圧板３６ａ２の下方には、上に凸の半円柱又は半楕円柱状の下方支持板３６ａ４が設けられている。この下方支持板３６ａ４は、押圧板３６ａ２により押圧される周囲土壌を下方から支持する。この下方支持板３６ａ４により、吸水渠６２の天井面６２ｃが形成される。
【０１１０】
こうして形成された土蓋部６３の土蓋ブロック６３ａは、圧縮されているため高硬度であり、形状維持性能に優れた吸水渠６２の天井面６２ｃとなる。周囲土壌の圧縮程度は、前方刃３６ａ１と後方成型端部３６ａ３のそれぞれの囲む面積同士の差に進行方向への移動距離を掛けた体積、すなわち切出し空洞６３ｂの体積の大きさにより評価できる。つまり、切出し空洞６３ｂの体積だけ周囲土壌が圧縮されたことになる。また、アーチ形状であることも力学的な安定性に寄与する。また後述するように、土蓋部６３の上方に残された上方開放空間６４を埋め戻す際にも崩落することなく、埋め戻される土塊の荷重を支持して吸水渠６２の密閉溝を確保する。
【０１１１】
図１１Ｂは、第１土蓋成型具３６ａの構造を詳細に示す図である。図１１(ａ)は斜視図、図１１(ｂ)は、図１１(ａ)に示した前面、後面、上面、底面、右側面及び左側面図である。
【０１１２】
図１２Ａは、第２土蓋成型具３６ｂによる施工状況、並びに形成される土蓋部６３を模式的に示す部分斜視図である。排土部材３４への取付部３６ｂ５については、前述の第１土蓋成型具３６ａと同様である。第２土蓋成形具３６ｂの前方刃３６ｂ１は、開放溝の片側壁面６２ａから外側へ水平に延びる部分とその先端から下方へ延びる部分とを具備する。この前方刃３６ｂ１により、片側壁面６２ａから外側に存在する正方形断面の周囲土壌を切り出す。前方刃３６ｂ１から後方に延びる押圧板３６ｂ２は上面と１つの側面を具備する。押圧板３６ｂ２の上面は後方へいくにつれて開放溝の方へ傾斜する略菱形であり、その側面もまた後方へいくにつれて開放溝の方へ傾斜する三角形である。
【０１１３】
この押圧板３６ｂ２内を通過する周囲土壌は、最終的には開放溝の他方の壁面６２ａ’まで寄せられ、図示のような形状の土蓋ブロック６３ａとなる。この場合も土蓋ブロック６３ａは、切出し空洞６３ｂの体積分だけ圧縮されている。
【０１１４】
図１２Ｂは、第２土蓋成形具３６ｂの構造を詳細に示す図である。図１２(ａ)は斜視図、図１２(ｂ)は、図１２(ａ)に示した前面、後面、上面、底面、右側面及び左側面図である。
【０１１５】
図１３Ａは、第３土蓋成形具３６ｃによる施工状況、並びに形成される土蓋部６３を模式的に示す部分斜視図である。排土部材３４への取付部３６ｂ５については、前述の土蓋成型具３６ａと同様である。第３土蓋成形具３６ｃの前方刃３６ｃ１は、開放溝の片側壁面６２ａから外側へ水平に延びる部分とその先端から斜め下方へ延びる部分とを具備する。この前方刃３６ｃ１により、片側壁面６２ａから外側に存在する逆台形断面の周囲土壌を切り出す。前方刃３６ｃ１から後方に延びる押圧板３６ｃ２は上面と１つの側面を具備する。押圧板３６ｃ２の上面は後方へいくにつれて開放溝の方へ傾斜する略菱形であり、その側面もまた後方へいくにつれて開放溝の方へ傾斜する三角形である。
【０１１６】
この押圧板３６ｃ２内を通過する周囲土壌は、最終的には開放溝の他方の壁面６２ａ’まで寄せられ、図示のような形状の土蓋ブロック６３ａとなる。この場合も土蓋ブロック６３ａは、切出し空洞６３ｂの体積分だけ圧縮されている。
【０１１７】
図１３Ｂは、第３土蓋成形具３６ｃの構造を詳細に示す図である。図１２(ａ)は斜視図、図１２(ｂ)は、図１２(ａ)に示した前面、後面、上面、底面、右側面及び左側面図である。
【０１１８】
図１４Ａは、第４土蓋成形具３６ｄによる施工状況、並びに形成される土蓋部６３を模式的に示す部分斜視図である。排土部材３４への取付部３６ｄ５については、前述の土蓋成型具３６ａと同様である。第４土蓋成形具３６ｄの前方刃３６ｄ１は、開放溝の片側壁面６２ａから外側へ水平に延びる上下一対の部分と、その先端同士を結ぶ垂直部分とを具備する。この前方刃３６ｄ１により、片側壁面６２ａから外側に存在する横長長方形断面の周囲土壌を切り出す。また、第４土蓋成形具３６ｄは、他方の壁面６２ａ’より外側へ突出した側面突出部３６ｄ４を具備する。この側面突出部３６ｄ４は、他方の壁面６２ａ’を外側へ押圧し、この部分の開放溝の幅を若干拡げることにより土蓋ブロック埋設溝６３ｄを形成する。前方刃３６ｄ１から後方に延びる押圧板３６ｄ２は上面と両側面とを具備する。押圧板３６ｄ２の上面の一側縁は、後方へいくにつれて開放溝の方へ傾斜している。また、押圧板３６ｄ２の側面もまた後方へいくにつれて開放溝の方へ傾斜している。
【０１１９】
この押圧板３６ｄ２内を通過する周囲土壌は、水平移動させられつつ圧縮され、最終的には開放溝の他方の壁面６２ａ’に形成された土蓋ブロック埋設溝６３ｄの中に押し込まれる。そして、図示のような形状の土蓋ブロック６３ａとなる。この場合も土蓋ブロック６３ａは、切出し空洞６３ｂの体積分だけ圧縮されている。
【０１２０】
図１４Ｂは、第４土蓋成形具３６ｄの構造を詳細に示す図である。図１４(ａ)は斜視図、図１４(ｂ)は、図１４(ａ)に示した前面、後面、上面、底面、右側面及び左側面図である。
【０１２１】
以上の第１〜第４土蓋成型具３６ａ〜３６ｄによれば、排土部材３４により形成された開放溝に対し、その両側壁面の周囲土壌を切断、移動及び／又は圧縮することにより、目的とする吸水渠６２の天井面の位置に土蓋ブロック６３ａを形成する。これにより、密閉溝である吸水渠６２となる。
【０１２２】
図１５は、第５土蓋成形具３６ｅによる施工状況、並びに形成される密閉溝である吸水渠６２を模式的に示す部分斜視図である。第５土蓋成形具３６ｅは、前述の土蓋成型具３６ａ〜３６ｄとは密閉溝の形成方法が異なる。排土部材３４への取付部３６ｅ５については、前述の土蓋成型具３６ａと同様である。第５土蓋成形具３６ｅの前方刃３６ｅ１は、開放溝の片側壁面６２ａから外側へ水平に延びる部分と、その先端から下方へ延びて吸水渠６２の底面の位置まで達する部分とを具備する。この前方刃３６ｅ１により、片側壁面６２ａより外側に存在する縦長長方形断面の周囲土壌を切り出す。前方刃３６ｅ１から後方に延びる押圧板３６ｅ２は上面と１つの側面とを具備する。押圧板３６ｅ２の上面の一側縁は、後方へいくにつれて傾斜して開放溝の他方の壁面６２ａ’まで達している。また、押圧板３６ｅ２の側面もまた後方へいくにつれて開放溝の方へ傾斜しているが、開放溝の片側壁面６２ａまでは達していない。
【０１２３】
この押圧板３６ｅ２内を通過する周囲土壌は、水平移動させられつつ圧縮され、最終的には、開放溝の他方の壁面６２ａ’に押し付けられ、土蓋ブロック６３ａ’となる。そして、切出し空洞６３ｂ’が、新たな密閉溝として形成される。この場合は、新たな密閉溝が吸水渠６２となる。第５土蓋成形具３６ｅを用いる場合は、排土部材３４により形成された元の開放溝は、水平移動した土蓋ブロック６３ａ’により塞がれ、切出し空洞６３ｂ’が吸水渠６２となる。この場合、厳密には「土蓋」と称するのは適切ではないが、便宜上このように称することとする。
【０１２４】
これらの第１〜第５土蓋成型具３６ａ〜３６ｅのいずれかを土壌条件やほ場条件により選択することで、対象土壌中に崩落しにくい土蓋部６３が成型される。
【０１２５】
図１６は、土蓋部６３の上方に残された上方開放空間６４の埋戻し工程を模式的に示す断面斜視図である。上方開放空間６４の埋戻しには、地表に排土され倒伏した土塊６１ｂを用いた埋戻し工程について説明する。第２吸水渠施工装置１Ｂの支持フレームの装着ロッド１４ａの後尾には、埋戻し板３５が装着されている。埋戻し板３５は、倒伏した土塊６１ｂの存在する側に位置し、その湾曲した前面が上方開放空間６４の方へ向けられている。従って、第２吸水渠施工装置１Ｂの進行に伴って、埋戻し板３５は、土塊６１ｂの一部を上方開放空間６４の方へ掻き寄せ、落とし込む。こうして、施工を完了する。
【０１２６】
このように、第２吸水渠施工装置による吸水渠施工方法では、対象土壌中を掘削し土壌を排除して開放溝を形成し、天井面となる位置に土蓋ブロックを成型して密閉溝を形成した後、上方開放空間を埋めることにより、吸水渠を完成する。この吸水渠は、対象土壌中に溝状の空洞をくり抜いたのと同じ状態である。従って、従来の弾丸暗渠等のように土壌の圧縮のみにより密閉溝を形成する場合と比較して、土圧による押し戻しがない。また、吸水渠の天井面に高硬度の土蓋ブロックが形成されるので、上部からの荷重にも強く、土壌の崩落が防止できる。この結果、本発明の吸水渠の密閉溝は耐久性に優れ、長期間に亘って排水機能を発揮することができる。
【０１２７】
図１７は、第２吸水渠施工装置を用いて吸水渠を施工した状況を模式的に示す対象土壌の切り欠き断面図である。通常、吸水渠は、作土８０の下層の心土に構築される。本発明の施工方法は、例えば、先ず図１７に示すように排水路７１の側壁法面を始点として吸水渠６２−１を施工し、これに交わるように吸水渠６２−２を施工することができる。これにより、十字に交差した吸水渠６２−１、６２−２が構築される。
【０１２８】
また、吸水渠６２は、資材を用いないため前述の第２吸水渠施工装置を牽引するだけで施工が完了する。このように簡易かつ迅速に施工できることから、１又は複数の吸水渠の各々の配線方向並びに互いの間隔を自由に設計できる。加えて、直線状に限らず、曲線状及び蛇行状の配線も可能である。一例として、排水路７１を始点として複数の吸水渠６２を同一方向に平行に施工することができる。別の例として、排水路７１を始点として先ず１本の吸水渠６２を施工し、この１本の吸水渠６２の途中から１又は複数の別の吸水渠６２を分岐させるように施工することもできる。このように、多様な施工設計に対応できる。
【０１２９】
また、既存の排水改良設備が存在する場合、例えば暗渠排水管７３等が既に設置されている場合は、本発明の吸水渠６２を通常の位置に施工すると、既存設備を破損するおそれがある。従って、これらの既存設備を避けることも施工条件の一つである。図４で説明したように、本発明の第１吸水渠施工装置は、支持フレームの高さを変えることで、第１吸水渠形成アタッチメントの高さを変更することができる。このことは、形成する吸水渠の底面の位置を調整できることを意味する。これにより、暗渠排水管７３等よりも高い位置すなわち対象土壌中の浅い層に吸水渠６２’を形成し、暗渠排水管７３等の破損を回避する。
【０１３０】
さらに、第２吸水渠形成アタッチメントへの土蓋成型具の取付位置を変えることで、吸水渠の天井面の高さを変更することができる。このようにして、通常より天井面の低い吸水渠６２”を形成することもできる。
【０１３１】
本発明の吸水渠６２は、縦長の密閉溝であるので、対象土壌中の比較的浅い層まで天井面が達している。従って、吸水渠６２全体が吸水及び集水、通水空間となり得る。このことは、疎水材を用いた暗渠排水と同等の優れた排水性及び通水性を有することを意味する。吸水渠６２内に泥土沈積物７４が堆積しても、本発明の吸水渠６２は、従来の暗渠排水管７３のような狭い通水空間でないことから、通水阻害が発生しない。
【０１３２】
（４）有材吸水渠施工装置及びその渠施工方法
図１８は、図１に示した支持フレーム１０と、第２吸水渠形成アタッチメント３０とを組合せることにより構築した有材吸水渠施工装置１Ｃにより、対象土壌６０中に有材吸水渠７２を形成する施工状況を示す概略側面図である。対象土壌６０中は断面で示している。
【０１３３】
有材吸水渠施工装置１Ｃは、支持フレーム１０の装着ロッド１４ａに第２吸水渠アタッチメント３０のみを装着することにより構成される。土蓋成型具及び埋戻し板は装着しない。
【０１３４】
施工状況は、次の通りである。支持フレーム１０が進行方向に牽引されると、第２吸水渠形成アタッチメント３０は、対象土壌６０中を進行する。第２吸水渠形成アタッチメント３０が進行するとき、一対の前方カッター３１、３２が対象土壌６０を垂直方向に切断する。その切断深さは、目的とする有材吸水渠７２の底面の位置に到達する距離である。
【０１３５】
排土部材３４は、一対の前方カッター３１、３２の間に存在する土塊６１をすくい上げ、地表まで押し上げる。排土部材３４の後尾は、地表６０ａまで達しているため、排土部材３４によりすくい上げられた土塊６１は、地表６０ａまで押し上げられ、完全に地表６０ａに排土される。土塊６１が完全に排土されたとき、両側壁面と底面により囲まれ地表に開口した開放溝が形成される。
【０１３６】
この開放溝に疎水材７５を投入し、充填することにより有材吸水渠７２の施工を完了する。疎水材７５は透水性の良好な材料である。投入は、機械又は人力のいずれによって行ってもよい。
【０１３７】
以下に、本発明の実施例及び比較例を示す。尚、説明の便宜のために、図面に用いた符号を用いる場合がある。
【実施例１】
【０１３８】
表１は、本発明の吸水渠施工装置１Ａ及び１Ｂによる吸水渠の試験施工の結果を示す。
土壌条件：表層腐食質灰色台地土
試験場所：北海道訓子府町内の北海道立北見農業試験場草地ほ場
【０１３９】
【表１】
2006022586.tif 000003
【０１４０】
表２は、目的とする吸水渠の設計寸法に基づく各吸水渠施工装置の設定条件を示す。
【０１４１】
【表２】
2006022586.tif 000004
【０１４２】
「吸水渠（密閉溝）の成型性」
施工試験の結果、土性が下層土でやや粗粒になる傾向でかつ堅密な土壌条件にもかかわらず、吸水渠施工装置１Ａ及び１Ｂのいずれも適正に吸水渠を構築できた。特に、一対の前方カッターによる前方と側方への土壌破砕はなく、土壌の内部摩擦による破砕を抑制しながら切断掘削が行えた。詳細な観察によると、前方カッターの角度θ１は、土を上から抑えるべく機能していた。加えて、前方カッターの切断刃が、半円形の波状であることにより、前方カッターの進行に伴って土壌が切断刃の半円下方に押し込まれながら切断されていた。これらにより、土壌破砕は発生しなかった。また、切断された土塊は、一対の前方カッターの間を通過するときに多少圧縮されることにより、吸水渠の両側壁面を擦ることなく排土部材により上方へ押し上げられた。
【０１４３】
表３は、構築された吸水渠の形状を示す。吸水渠の幅については、表２の設計寸法１５ｃｍに対し、実寸法１４ｃｍと、ほぼ計画通りであった。吸水渠の深さ（底面の位置）、吸水渠の高さ（底面から天井面までの距離）、埋戻しの深さもほぼ適正であった。
【０１４４】
【表３】
2006022586.tif 000005
【０１４５】
「第１吸水渠施工装置１Ａの後方カッターの成型性」
第１吸水渠施工装置１Ａの後方カッターは、前方からきた土塊を下方向に抑えつつ縦方向に２分割し、きれいに成型した。２分割された土塊は、後方カッターの側面を流れるように後方へ移動し、開放溝の両側壁面へそれぞれ付着し固定されていた。２分割された土塊の両側壁面への付着性は、表１に示した腐植が多い表層土と次層土で特に強かった。このとき、土塊と壁との境界が見分けられないほど強く付着していた。このことから、第１吸水渠施工装置１Ａを用いた施工方法は、多腐植土壌での適性が高い傾向にあると云える。
【０１４６】
「各形状の土蓋成型具の成型性」
表４は、第２吸水渠施工装置１Ｂに取り付ける各形状の土蓋成型具について施工試験を行った結果を示す。第１及び第２土蓋成型具３６ａ及び３６ｂについては、表５に示した土壌条件の北海道美唄市の泥炭土ほ場における施工試験の結果も加える。
【０１４７】
堅密かつやや粘質な灰色台地土においては、第１及び第３土蓋成型具３６ａ及び３６ｃが、最もきれいな土蓋部を成型することができた。第４土蓋成形具３６ｄは、堅密な土壌では抵抗が大きい傾向があるが、土蓋部の成型は可能であった。第２及び第５土蓋成形具３６ｂ及び３６ｅは、第１及び第３土蓋成形具３６ａ及び３６ｃには劣るものの、問題なく土蓋部を成型できた。
【０１４８】
また、泥炭土では、第１土蓋成形具３６ａにより泥炭の周囲土壌が切り出され、通過させられて、アーチ状の土蓋ブロックが成型された。第２土蓋成形具３６ｂでも問題なく土蓋部を成型できた。
【０１４９】
【表４】
2006022586.tif 000006
【０１５０】
【表５】
2006022586.tif 000007
【０１５１】
上記の試験施工の結果、第１吸水渠施工装置１Ａ及び第２吸水渠施工装置１Ｂのいずれも、表１に示した灰色台地土の土壌条件を有する北海道立北見農業試験場草地ほ場内において、吸水渠を構築できた。
【０１５２】
「施工効率」
適正に施工を行った際の施工効率は、１時間当たり平均３．２ｋｍであった。この施工効率は、従来の心土破砕や弾丸暗渠と同等である。また、従来の有材吸水渠の施工において開放溝を形成するバックホー掘削及びトレンチャー掘削の掘削だけの施工効率と比較しても１０倍〜２０倍の施工効率である。
【実施例２】
【０１５３】
本発明の吸水渠施工装置による施工効果を評価するために、表１に示したほ場の地中に構築した吸水渠周辺の土壌水分分布を測定した。測定には、ＴＤＲ法による土壌水分計を用い、１０cm間隔で測定した。図１９は、その結果を示す土壌水分分布図である。また、図２０は、吸水渠周辺の吸水性に関して、フォートランによる二次元有限要素法を用いた水移動のコンピュータシミュレーション解析を行い、体積含水率による土壌水分分布の時間変化を導出した結果を示すグラフである。
【０１５４】
図１９は、降雨後1週間経過時の吸水渠周辺の土壌水分分布の測定結果である。この結果から、余剰水の流れ及び土壌の乾燥過程について検討した。土壌水分分布は、地表面から吸水渠周辺までが低水分で、心土中では吸水渠から離れるほど高水分となっていた。このことから、降雨による余剰水が土層全体を飽和した後、吸水渠周辺と吸水渠に近い作土の余剰水の大部分が吸水渠へ移動していると推察された。また、本発明の吸水渠は、従来の弾丸暗渠に比べ圧倒的に容積が大きいため、吸水渠周辺の土壌水分は広い範囲で低下しやすいと考えられた。
【０１５５】
図２０のコンピュータシミュレーション解析によると、吸水渠による排水処理においては、排水開始後の早い段階で吸水渠周辺から排水が始まり、表層の水分も吸水渠に引き込まれる傾向が見られた。また、吸水渠の容積が大きいことから、土壌水分の低下が明らかに土層全体へ影響していることがうかがえた。この傾向は、排水初期に顕著で、排水開始後１９２時間が経過しても現れていた。この土壌水分分布変化の様子は、図１９に示した実際の土壌水分分布と近似していることから、実際の吸水渠の排水過程もまたコンピュータシミュレーション解析結果の通りであると判断された。
【０１５６】
「吸水渠の耐久性」
従来の弾丸暗渠は、円錐状の弾丸を貫入させ、土壌を押し広げて円形断面の孔を成型する工法であるため、広げられた孔が土圧や押戻しにより小さくなり、施工時にできた亀裂により崩落する問題点があった。一方、本発明の吸水渠施工装置により構築された吸水渠は、発生した余分な土壌を排除するため、溝状の空洞をくり抜いたのと同じ状態である。実施例の吸水渠の観察結果から、土壌圧縮が少なく、土の押戻しや吸水渠周辺の亀裂を少なくでき、密閉溝の形状が維持されやすく耐久性に優れていることが確認された。
【０１５７】
［比較例１］
「施工効率」
通常の有材吸水渠を施工する場合、開放溝を掘削する掘削効率は、バックホー掘削が１時間当たり１４０ｍ、トレンチャー掘削が１時間当たり２４０ｍである。これは、本発明の吸水渠施工装置の施工効率の１／１０〜１／２０と極めて低い施工効率である。この比較結果から、本発明の吸水渠施工装置の施工効率は高く、緊急的に排水改良が必要になった時にも対応が可能となる。
【０１５８】
［比較例２］
本発明の吸水渠周辺の吸水性と、従来の弾丸暗渠周辺の吸水性とを比較するため、弾丸暗渠についても同様にフォートランによる二次元有限要素法での水移動のコンピュータシミュレーション解析を行った。その解析結果を図２１に示す。弾丸暗渠による排水処理では、排水開始後に通水孔周辺で排水が見られるものの、その影響範囲は図２０に示した本発明の吸水渠に比べ圧倒的に狭く、長期間にわたって図２０の排水状況には追いつかなかった。
以上のことから、本発明により構築された吸水渠は、その縦長の空洞形状と容積の大きさゆえに、従来の弾丸暗渠又はそれに類似する土戻しの暗渠排水以上の排水効果が期待できることが明らかになった。
【図面の簡単な説明】
【０１５９】
【図１】本発明における２種類の吸水渠施工装置の構築方法を概略的に示した分解図である。
【図２】本発明の第１吸水渠施工装置の全体側面図である。
【図３】第１吸水渠施工装置により対象土壌中に吸水渠を形成する施工状況を示す概略側面図である。
【図４Ａ】図１に示した支持フレームのさらに詳細な構造を示す側面図である。
【図４Ｂ】第１吸水渠形成アタッチメントのさらに詳細な構造を示す斜視図である。
【図４Ｃ】図４Ｂに示した第１吸水渠形成アタッチメント一対の前方カッターをさらに詳細に示す断面図である。(ａ)は図４ＢのＡ−Ａ拡大断面図である。(ｂ)は別の実施例における同じくＡ−Ａ拡大断面図である。(ｃ)は、前方カッターの別の実施例を示す図である。
【図４Ｄ】図４Ｂに示した第１吸水渠形成アタッチメントの土蓋成型具をさらに詳細に示す図である。
【図５】第１吸水渠施工装置による施工状況を詳細に示す一部切欠き斜視断面図である。
【図６】第１吸水渠施工装置を用いて吸水渠を施工した状況を模式的に示す対象土壌の切り欠き断面図である。
【図７】本発明の第２吸水渠施工装置の全体側面図である。
【図８】第２吸水渠施工装置により対象土壌中に吸水渠を形成する施工状況を示す概略側面図である。
【図９Ａ】支持フレームのさらに詳細な構造を示す側面図である。
【図９Ｂ】第２吸水渠形成アタッチメントのさらに詳細な構造を示す斜視図である。
【図９Ｃ】(ａ)〜(ｅ)は、排土部材３４をそれぞれ左側面、上面、底面、前面及び後面から見た図である。(ｆ)〜(ｈ)は、それぞれ(ｂ)の上面図におけるＢ−Ｂ拡大断面、Ｃ−Ｃ拡大断面、及びＤ−Ｄ拡大断面を概略的に示す図である。
【図１０】第２吸水渠施工装置１Ｂによる施工状況を詳細に示す一部切欠き斜視断面図である。
【図１１Ａ】第１土蓋成型具及びこれにより形成される土蓋部を模式的に示す部分斜視図である。
【図１１Ｂ】第１土蓋成型具の構造を詳細に示す図である。
【図１２Ａ】第２土蓋成型具及びこれにより形成される土蓋部を模式的に示す部分斜視図である。
【図１２Ｂ】第２土蓋成型具の構造を詳細に示す図である。
【図１３Ａ】第３土蓋成型具及びこれにより形成される土蓋部を模式的に示す部分斜視図である。
【図１３Ｂ】第３土蓋成型具の構造を詳細に示す図である。
【図１４Ａ】第３土蓋成型具及びこれにより形成される土蓋部を模式的に示す部分斜視図である。
【図１４Ｂ】第４土蓋成型具の構造を詳細に示す図である。
【図１５】第５土蓋成型具及びこれにより形成される土蓋部を模式的に示す部分斜視図である。
【図１６】上方開放空間の埋戻し工程を模式的に示す断面斜視図である。
【図１７】第２吸水渠施工装置を用いて吸水渠を施工した状況を模式的に示す対象土壌の切り欠き断面図である。
【図１８】有材吸水渠施工装置により、対象土壌中に有材吸水渠を形成する施工状況を示す概略側面図である。
【図１９】この発明の切断掘削吸水渠の排水効果を示す土壌の断面図である。
【図２０】この発明の切断掘削吸水渠の排水効果をコンピュータシミュレーションにより示す土壌の断面図である。
【図２１】この発明の比較として弾丸暗渠の排水効果をコンピュータシミュレーションにより示す土壌の断面図である。
【符号の説明】
【０１６０】
１Ａ  第１吸水渠施工装置
１Ｂ  第２吸水渠施工装置
１Ｃ  有材吸水渠施工装置
１０    支持フレーム
１１ａ、１１ｂ  連結部
１２ａ  上接続リンク
１２ｂ、１２ｃ  接続ロッド
１２ｄ  接続ロッドジョイント
１２ｅ  下接続リンク
１３ａ、１３ｂ  装着ロッド高さ調整孔
１４ａ  装着ロッド
１４ｂ、１４ｃ  調整シリンダロッド
１４ｄ  調整シリンダ
１５ａ  前方カッター取付部
１５ｂ  後方カッター取付部
１５ｃ  排土部材取付部
１５ｄ  埋戻し板取付部
２０  第１吸水渠形成アタッチメント
２１、２２  前方カッター
２１ａ、２２ａ  切断刃
２３  後方カッター
２３ａ  切断刃
２４  排土部材
２４ａ  土壌押上板
２４ｂ  補強板
２４ｃ  摩擦軽減板
２６  土蓋成型具
２６ａ  凸部
３０  第２吸水渠形成アタッチメント
３１、３２  前方カッター
３１ａ、３２ａ  前方カッター刃部
３４  排土部材
３４ａ  土壌押上板
３４ａ１  捻り部
３４ｂ  補強部材
３４ｃ  摩擦軽減板
３４ｄ  土蓋成型具取付部
３５  埋戻し板
３５ａ  前面
３６  土蓋成型具
３６ａ  第１土蓋成型具
３６ａ４  下方支持板
３６ｂ  第２土蓋成型具
３６ｃ  第３土蓋成型具
３６ｄ  第４土蓋成型具
３６ｄ４  側面突出部
３６ｅ  第５土蓋成型具
３６ａ１、３６ｂ１、３６ｃ１、３６ｄ１、３６ｅ１  前方刃
３６ａ２、３６ｂ２、３６ｃ２、３６ｄ２、３６ｅ２  押圧板
３６ａ３、３６ｂ３、３６ｃ３、３６ｄ３、３６ｅ３  後方成型端部
３６ａ５、３６ｂ５、３６ｃ５、３６ｄ５、３６ｅ５  取付部
４０  牽引車
４１  連結リンク
６０  対象土壌
６０ａ  土壌表面
６１  土塊
６１ａ  縦切断された土塊
６１ｂ  地表に排土された土塊
６２、６２’、６２”  （無資材）吸水渠
６２ａ、６２ａ’  壁面
６２ｂ  底面
６２ｃ  天井面
６３  土蓋部
６３ａ、６３ａ’  土蓋ブロック
６３ｂ、６３ｂ’  切出し空洞
６３ｄ  土蓋ブロック埋設溝
６４  上方開放空間
７１  排水路
７２  有材吸水渠
７３  暗渠排水管
７４  泥土沈積物
７５  疎水材
８０  作土
８１  心土
Ｓ１、Ｓ２  土塊押上げ方向
【図１】
2006022586.tif 000008
【図２】
2006022586.tif 000009
【図３】
2006022586.tif 000010
【図４Ａ】
2006022586.tif 000011
【図４Ｂ】
2006022586.tif 000012
【図４Ｃ】
2006022586.tif 000013
【図４Ｄ】
2006022586.tif 000014
【図５】
2006022586.tif 000015
【図６】
2006022586.tif 000016
【図７】
2006022586.tif 000017
【図８】
2006022586.tif 000018
【図９Ａ】
2006022586.tif 000019
【図９Ｂ】
2006022586.tif 000020
【図９Ｃ】
2006022586.tif 000021
【図１０】
2006022586.tif 000022
【図１１Ａ】
2006022586.tif 000023
【図１１Ｂ】
2006022586.tif 000024
【図１２Ａ】
2006022586.tif 000025
【図１２Ｂ】
2006022586.tif 000026
【図１３Ａ】
2006022586.tif 000027
【図１３Ｂ】
2006022586.tif 000028
【図１４Ａ】
2006022586.tif 000029
【図１４Ｂ】
2006022586.tif 000030
【図１５】
2006022586.tif 000031
【図１６】
2006022586.tif 000032
【図１７】
2006022586.tif 000033
【図１８】
2006022586.tif 000034
【図１９】
2006022586.tif 000035
【図２０】
2006022586.tif 000036
【図２１】
2006022586.tif 000037